(57)【要約】【課題】  視覚障害者用誘導板の敷設後の養生や当該敷設と併せて行われる各種工事期間中の歩行者等の通行に際し、誘導板上面を保護して良好な敷設状態を得るとともに、通行の安全性を向上させた視覚障害者用誘導板専用の保護マットを提供する。【解決手段】  上面に点状及び／又は線状の誘導突起９が配列された視覚障害者用誘導板８の上面に着脱自在に被せる保護マット１であり、敷設した上記誘導板８の上面を覆う所定厚みのマット本体２の下面に、各誘導突起９に略対応して該突起９に嵌めうるか、又は誘導突起９の配列に略対応して複数の突起９からなる突起列に嵌めうる凹部３を設ける。又、マット本体２の上面に滑り止めとなる適宜凸部４を設け、好ましくは該凸部４を誘導板８の誘導突起９に略対応するか、又は少なくとも誘導突起９に対応する部分を含んで適宜形状となすことで、マット本体２の耐久性の向上を図り、保護マット１上の安全な通行を確保する。【選択図】図６
2014129711.tif 000002
【特許請求の範囲】
【請求項１】
上面に点状及び／又は線状の誘導突起（９）が配列された視覚障害者用誘導板（８）の上面に着脱自在に被せられる保護マットであって、敷設された上記誘導板（８）の上面を覆う所定厚みのマット本体（２）の下面に、各誘導突起（９）に略対応して該突起（９）に嵌めうるか、又は誘導突起（９）の配列に略対応して複数の突起（９）からなる突起列に嵌めうる凹部（３）が設けられてなる視覚障害者用誘導板の保護マット。
【請求項２】
マット本体（２）の上面に滑り止めとなる適宜凸部（４）が設けられた請求項１記載の視覚障害者用誘導板の保護マット。
【請求項３】
上記凸部（４）が、誘導板（８）の誘導突起（９）に略対応するか、又は少なくとも誘導突起（９）に対応する部分を含んで適宜形状をなす請求項２記載の視覚障害者用誘導板の保護マット。
【請求項４】
マット本体（２）の少なくとも一縁部に沿う上面が縁部に向け斜降して傾斜縁部（５）が設けられた請求項１又は２又は３記載の視覚障害者用誘導板の保護マット。
【請求項５】
マット本体（２）の上面に、又は凸部（４）頂面及び／又は傾斜縁部（５）に凹凸状の滑り止め部（６）が設けられた請求項１〜４の何れかに記載の視覚障害者用誘導板の保護マット。
【請求項６】
マット本体（２）の上面に相対する両縁部にわたる排水溝（７）が設けられた請求項１〜５の何れかに記載の視覚障害者用誘導板の保護マット。
【請求項７】
マット本体（２）の下面に、隣接する凹部（３）間に溝条（１２）が設けられた請求項１〜６の何れかに記載の視覚障害者用誘導板の保護マット。
【請求項８】
マット本体（２）が、敷設時の目地部（１０）を挟んで隣接する複数の誘導板（８）にわたる大きさとなされた請求項１〜７の何れかに記載の視覚障害者用誘導板の保護マット。
【発明の詳細な説明】
【技術分野】
【０００１】  本発明は視覚障害者用誘導板の保護マットに関し、詳しくは、歩道や屋内外の通路等種々の場所に視覚障害者用誘導板が敷設される際、その共用までの養生期間中、誘導板を保護して良好な敷設状態を得るべくその上面に被せられて歩行者等の通行に供せられる視覚障害者用誘導板専用の保護マットに関するものである。
【背景技術】
【０００２】  一般に、上面に点状や線状の誘導突起が所定間隔で複数配列された視覚障害者用誘導板、例えば平面視方形状でコンクリート製等の上記誘導板は、路盤上に下地モルタル等を介して所定間隔で配列されて隣接する誘導板間やその周囲の床材間との隙間に目地モルタル等を充填して敷設される。
従来、その敷設後の養生や当該敷設と併せて行われる各種工事期間中の歩行者等の通行に際し、例えば各誘導板の周縁部上面、これに隣接する目地部、敷設箇所周辺にわたり粘着テープが貼着されたり、或いは隣接する誘導板上面にわたりゴムや布等の汎用保護シートが被せられ、該シートの周縁部上面と敷設箇所周辺にまたがって粘着テープが貼着されて、誘導板上の通行に供せられており、特に誘導板専用の保護覆いがなかった。
【発明の概要】
【発明が解決しようとする課題】
【０００３】  上記前者の各誘導板の周縁部、目地部、敷設箇所周辺にわたり粘着テープが貼着される場合は、誘導板の上面が広範囲にわたり露出したままとなるために、歩行者等の通行により露出部分が汚れたり、損傷しやすく、誘導板上面の保護ができないとともに、誘導板の養生終了後に粘着テープを剥がすと上面の汚れた露出部分と粘着テープにより覆われていた汚れのない部分との境界が目立ち美観を損なう問題点があった。
又、後者のゴムや布等の保護シートが使用される場合は、誘導板上面の保護はできるものの、誘導板上面の誘導突起間と保護シートとの間に多くの空間が生じるために、歩行者等の通行により保護シートがたわみやすく、このたわみにつまづいたり、更にバランスを崩して転倒する危険性があるとともに、保護シートが位置ずれしやすく、シート上で滑る恐れがある等、シート上での安全な通行が困難な問題点があった。又、保護シートを被せると視覚障害者にとってシート下の誘導板の種類（案内情報）が足裏感覚で察知困難となり、安全な通行が妨げられるという問題点もあった。
本発明はかかる従来の問題点に鑑みてなされたものであって、視覚障害者用誘導板の敷設後の養生や当該敷設と併せて行われる各種工事期間中の歩行者等の通行に際し、誘導板上面を保護して良好な敷設状態を得るとともに、通行の安全性を向上させた視覚障害者用誘導板専用の保護マットを提供することを課題としている。
【課題を解決するための手段】
【０００４】  上記課題を解決するために、本発明の視覚障害者用誘導板の保護マットは、上面に点状及び／又は線状の誘導突起が配列された視覚障害者用誘導板の上面に着脱自在に被せられるものであって、敷設された上記誘導板の上面を覆う所定厚みのマット本体の下面に、各誘導突起に略対応して該突起に嵌めうるか、又は誘導突起の配列に略対応して複数の突起からなる突起列に嵌めうる凹部が設けられてなるものである。【０００５】  又、本発明の保護マットは、上記保護マットにおいて、マット本体の上面に滑り止めとなる適宜凸部が設けられた構成を採用することができる。【０００６】  又、本発明の保護マットは、上記保護マットにおいて、凸部が、誘導板の誘導突起に略対応するか、又は少なくとも誘導突起に対応する部分を含んで適宜形状をなす構成を採用することができる。【０００７】  又、本発明の保護マットは、上記各保護マットにおいて、マット本体の少なくとも一縁部に沿う上面が縁部に向け斜降して傾斜縁部が設けられた構成を採用することができる。【０００８】  又、本発明の保護マットは、上記各保護マットにおいて、マット本体の上面に、又は凸部頂面及び／又は傾斜縁部に凹凸状の滑り止め部が設けられた構成を採用することができる。【０００９】  又、本発明の保護マットは、上記各保護マットにおいて、マット本体の上面に相対する両縁部にわたる排水溝が設けられた構成を採用することができる。【００１０】  又、本発明の保護マットは、上記各保護マットにおいて、マット本体の下面に、隣接する凹部間に溝条が設けられた構成を採用することができる。【００１１】  又、本発明の保護マットは、上記各保護マットにおいて、マット本体が、敷設時の目地部を挟んで隣接する複数の誘導板にわたる大きさとなされた構成を採用することができる。
【発明の効果】
【００１２】  本発明の視覚障害者用誘導板の保護マットは、敷設された誘導板の上面を覆う所定厚みのマット本体の下面に、誘導板上面の各誘導突起に略対応して該突起に嵌めうるか、又は誘導突起の配列に略対応して複数の突起からなる突起列に嵌めうる凹部が設けられているので、誘導板の敷設後、マット本体下面の凹部を誘導突起又はその突起列に嵌めることで、位置ずれすることなく誘導板上面に容易に被せることができてその作業性を向上させることができ、誘導板の養生や誘導板の敷設と併せて行われる各種工事期間中の歩行者等の通行に際し、通行による誘導板上面の汚損や損傷を防止して誘導板の良好な敷設状態を確保できるとともに、上記凹部と誘導突起や突起列の嵌合による位置ずれ防止作用で従来の如くマットのたわみ等が発生することなく、通行の安全性を向上させることができる。【００１３】  又、本発明の保護マットは、マット本体の上面に滑り止めとなる適宜凸部が設けられているので、誘導板の養生や誘導板の敷設と併せて行われる各種工事期間中の通行に際し、マット本体上面を凹凸面として凸部によって歩行者や車椅子、ベビーカー、自転車等に対し滑り止めや足裏の蹴りが利いて、マット上の安全な通行が行える。【００１４】  又、本発明の保護マットは、上記凸部が、誘導板の誘導突起に略対応するか、又は少なくとも誘導突起に対応する部分を含んで適宜形状をなしている、換言すればマット本体の上面に、凹部に略対応する凸部、又は少なくとも凹部に対応する部分を含んで適宜形状をなす凸部が設けられているので、マット本体の凹部に対応する部分の厚み補強となりマット自体の耐久性を向上させることができる。
又、誘導板上面に被せた際に凹部と誘導突起又はその突起列との嵌合部に隙間が生じても、上記の如くマット本体の凹部に対応する部分の厚み補強をすることで、マット上の負荷に対して補強効果を発揮し、通行時の安定性を高めることができる。
上記マット本体の上面に誘導板の誘導突起に略対応する凸部が設けられている場合には、マット上の通行時に視覚障害者はマット本体下の誘導板の種類（誘導情報）を容易に察知でき、足裏の感覚で情報を得るという誘導板と同様な効果を奏して安全な通行が確保できる。
又、マット本体の上面に少なくとも誘導突起に対応する部分を含んで適宜形状をなす凸部が設けられている場合には、凸部の形状を例えばこの先工事中等の標示を表す形状や模様とすることで、視覚障害者はこの凸部によってこの先工事中等の適宜情報を得て安全な通行ができる。【００１５】  又、本発明の保護マットは、マット本体の少なくとも一縁部に沿う上面が縁部に向け斜降して傾斜縁部が設けられているので、誘導板の養生や誘導板の敷設と併せて行われる各種工事期間中の歩行者等の通行に際し、マット本体縁部での歩行者のつまづきを防止できるとともに、車椅子やベビーカー、自転車等のマット上への乗り上げをスムーズにでき且つ乗り上げ時の衝撃が緩和されてマットのずれ防止作用も奏する。又、粘着テープでマット本体の縁部を固定する際、傾斜縁部上面と誘導板の敷設箇所周辺にまたがって貼着する粘着テープが各所と密着しやすく、粘着テープの折れや曲がりが緩和されてテープの耐久性を確保できる。【００１６】  又、本発明の保護マットは、マット本体の上面に、又は凸部頂面及び／又は傾斜縁部に凹凸状の滑り止め部が設けられているので、誘導板の養生や誘導板の敷設と併せて行われる各種工事期間中の歩行者等の通行に際し、歩行者や車椅子、ベビーカー、自転車等に対し滑り止めや足裏の蹴りがよく利いて、マット上の安全な通行を確保できる。又、傾斜縁部に凹凸状の滑り止め部が設けられている場合には、更に、粘着テープでマット本体縁部を誘導板の敷設箇所周辺に固定する際、粘着テープと傾斜縁部上面との接着面積が増え、強固な貼着固定ができる。【００１７】  又、本発明の保護マットは、マット本体の上面に相対する両縁部にわたる排水溝が設けられているので、誘導板の養生や誘導板の敷設と併せて行われる各種工事期間中の歩行者等の通行に際し、降雨や散水等でマット本体の上面が濡れても、水が排水溝によって上面からマット外に排水されて上面に水が滞留しにくく、歩行者等の通行に際して滑りやすくなるのを防止してマット上の安全な通行に貢献できる。【００１８】  又、本発明の保護マットは、マット本体の下面に、隣接する凹部間に溝条が設けられているので、誘導板の養生や誘導板の敷設と併せて行われる各種工事期間中の歩行者等の通行に際し、溝条の開口縁部が誘導板上面に押圧されることでマット本体と誘導板上面間の摩擦が増大し、保護マットの位置ずれ防止効果を奏するとともに、クッション作用を奏して歩行感を高めることができる。
又、溝条の存在によりマット本体の屈曲性が向上し、配列した誘導板の施工誤差による誘導板上面の凹凸や敷設箇所の傾斜等になじんで屈曲して保護マットを安定した良好な状態として使用できる。
更に、誘導板に被せた保護マットが雨水や工事中の何らかの要因で水に漬かった際、溝条を設けたことで生じるマット本体の体積減少分だけマット本体が受ける浮力も減少して誘導板上面から浮き上がりにくく、溝条がマット本体と誘導板との間で排水溝の役目を果たし、保護マットの位置ずれ防止にも役立つ。【００１９】  又、本発明の保護マットは、マット本体が、敷設時の目地部を挟んで隣接する複数の誘導板にわたる大きさとなされているので、上記凹部を誘導突起や突起列に嵌めることと相まって複数の誘導板にわたって位置ずれすることなく所定位置に容易に被せることができ、その作業性を向上させて使い勝手がよいとともに、マット上の通行に際し、上記嵌合及びマット自体の自重増大の作用によりマットの位置ずれ防止効果を一層高めて安全な通行が確保できる。
【図面の簡単な説明】
【００２０】
【図１】  本発明の保護マットの一実施の形態を示し、（イ）は平面図、（ロ）は底面図、（ハ）は拡大正面図、（ニ）は一部切欠拡大側面図。
【図２】  （イ）は図１（イ）のＡ−Ａ拡大断面図、（ロ）は（イ）のＤ部拡大図。
【図３】  （イ）は図１（イ）のＢ−Ｂ拡大断面図、（ロ）は（イ）のＥ部拡大図。
【図４】  （イ）は図１（イ）のＣ−Ｃ一部切欠拡大断面図、（ロ）は（イ）のＦ部拡大図。
【図５】  （イ）は視覚障害者用誘導板の敷設状態を示す一部平面図、（ロ）はこの一部に本発明保護マットを被せた状態を示す一部平面図。
【図６】  （イ）は図５（ロ）のＧ−Ｇ拡大断面図、（ロ）は同Ｈ−Ｈ一部切欠拡大断面図。
【図７】  本発明の保護マットの他実施の形態を示し、（イ）は平面図、（ロ）は底面図、（ハ）は拡大正面図。
【図８】  （イ）は図７（イ）のＩ−Ｉ拡大断面図、（ロ）は（イ）のＬ部拡大図。
【図９】  （イ）は図７（イ）のＪ−Ｊ拡大断面図、（ロ）は（イ）のＭ部拡大図。
【図１０】  図７（イ）のＫ−Ｋ拡大断面図。
【図１１】  （イ）は視覚障害者用誘導板の敷設状態を示す一部平面図、（ロ）はこの一部に本発明保護マットを被せた状態を示す一部平面図。
【図１２】  （イ）は図１１（ロ）のＮ−Ｎ拡大断面図、（ロ）は同Ｏ−Ｏ拡大断面図。
【図１３】  （イ）は本発明の保護マットの更に他実施の形態を示す底面図、（ロ）は（イ）のＰ−Ｐ拡大断面図、（ハ）、（ニ）、（ホ）はそれぞれ本発明の保護マットの更に他実施の形態を示す一部底面図。
【図１４】  （イ）は本発明の保護マットの更に他実施の形態を示す一部底面図、（ロ）は（イ）のＱ−Ｑ拡大断面図、（ハ）は本発明の保護マットの更に他実施の形態を示す一部底面図。
【図１５】  （イ）は本発明の保護マットの更に他実施の形態を示す一部底面図、（ロ）は（イ）のＲ−Ｒ拡大断面図、（ハ）は本発明の保護マットの更に他実施の形態を示す一部底面図。
【図１６】  （イ）、（ロ）はそれぞれ本発明の保護マットの更に他実施の形態を示す一部底面図。
【図１７】  （イ）は本発明の保護マットの更に他実施の形態を示す一部底面図、（ロ）は（イ）のＳ−Ｓ拡大断面図、（ハ）は同保護マットを点状の誘導突起を有する誘導板に被せた状態を示す一部切欠平面図、（ニ）は（ハ）のＴ−Ｔ拡大断面図、（ホ）は同保護マットを線状の誘導突起を有する誘導板に被せた状態を示す一部平面図、（ヘ）は（ホ）のＵ−Ｕ拡大断面図。
【図１８】  （イ）は本発明の保護マットの更に他実施の形態を示す一部平面図、（ロ）は（イ）のＶ−Ｖ拡大断面図。
【図１９】  （イ）、（ロ）はそれぞれ本発明の保護マットの更に他実施の形態を示す一部平面図。
【発明を実施するための形態】
【００２１】  以下、図面を参照しながら本発明の実施の形態について説明する。
図１〜図４は本発明の保護マットの一実施の形態を示し、１は本実施形態の保護マットであって、ゴム、合成樹脂、好ましくは弾性合成樹脂等から作製され、例えば図５（イ）に示すような上面に点状（略円錐台形）の誘導突起９が略等間隔で２５個規則的に配列された視覚障害者用誘導板８の上面を保護すべく、誘導板８に着脱自在に被せられるものである。
本発明の保護マット１は、図１（イ）に示す如く長方形状のマット本体２からなり、図５（イ）、（ロ）に示すように敷設時の目地部１０を挟んで隣接する２枚の誘導板８にわたる大きさとなされている。
マット本体２は所定厚みを有してその下面には、図１（ロ）、図２（イ）及び図４（イ）に示す如く、上記誘導板８の各誘導突起９に略対応して該突起９に嵌めうる凹部３が設けられている。即ち、マット本体２の厚みは、後述する図６（イ）、（ロ）に示す如く凹部３を誘導突起９に嵌合した際、少なくとも隣接する誘導突起９間の空間をマット本体２によって略塞ぐことができる厚みを有している。
又、上記凹部３は図１（ロ）に示す如くマット本体２の長辺方向に長い長円形（略錐台状の凹み）となされ、誘導板８の誘導突起９に対してマット本体２の長辺方向に若干の余裕を有して嵌合可能となされることで、凹部３と誘導突起９の嵌合位置に融通が利き嵌合しやすく、使い勝手が良好なようになされている。
【００２２】  上記マット本体２の上面には、図１（イ）、（ハ）、（ニ）及び後述の図６（イ）、（ロ）に示す如く、誘導板８の少なくとも誘導突起９に対応する部分（換言すれば、凹部３に対応する部分）を含んで略※に近い形状をなす凸部４が一対設けられ、凸部４の頂面を含む上面は細かい凹凸状の粗面となされることで滑り止め部６が設けられている。即ち、図２（イ）や図４（イ）に示す如く、凸部４を設けることにより、マット本体２の凹部３に対応する部分の厚み補強をして耐久性を向上させている。尚、上記滑り止め部６は必ずしもなくてもよい。
又、図１（イ）、（ハ）及び図２（イ）、（ロ）に示す如く、マット本体２の長辺側の相対する縁部に沿う上面がそれぞれ縁部に向け斜降して緩傾斜状の傾斜縁部５が設けられるとともに、傾斜縁部５に階段状の凹凸からなる滑り止め部６が設けられている。この場合、マット本体２の短辺長さが誘導板８の幅よりやや長く（敷設時の誘導板８に隣接する目地部１０の一部又は全部を覆うため）なされているが、誘導板８の幅と略同じであってもよい。尚又、傾斜縁部５の滑り止め部６も必ずしもなくてもよい。
又、図１（イ）、図３（イ）、（ロ）及び図４（イ）、（ロ）に示す如く、マット本体２の上面略中央部（隣接する凸部４間）に、マット本体２の短辺方向に沿う排水溝７が相対する両縁部（傾斜縁部５）にわたって設けられ、傾斜縁部５では排水溝７はマット本体２の縁部に向け斜降する傾斜溝となされている。
尚、排水溝７は細幅で浅溝となされているが、これに限定されず、適宜幅、深さであればよく、又、マット本体２の短辺方向で深さが変化して溝底に勾配が付されてもよい。
【００２３】  上記保護マット１の使用について説明すると、例えば図５（イ）に示す如くコンクリート製等の視覚障害者用誘導板８が目地部１０を介して所定間隔で複数配列されて敷設された後、その養生や当該敷設と併せて行われる各種工事期間中の歩行者等の通行に際して誘導板８の上面を保護するべく、図５（ロ）に示す如く保護マット１を目地部１０を挟んで隣接する２枚の誘導板８にわたって被せる。その際、図６（イ）、（ロ）に示す如く、マット本体２の下面の凹部３を誘導板８の上面の誘導突起９に嵌めて保護マット１を所定位置に位置させる。
続いて、必要に応じて上記と同様にして保護マット１を順次誘導板８の上面に被せるとともに、マット本体２の長辺側の傾斜縁部５上面と誘導板８の敷設箇所周辺にまたがって粘着テープを貼着してマット本体２を固定すればよい。
従って、上記保護マット１によれば、マット本体２下面の凹部３を誘導突起９に嵌めることで位置ずれすることなく誘導板８上面に容易に被せることができ、その作業性がよく、誘導板８の養生や当該敷設と併せて行われる各種工事期間中、歩行者等の通行による誘導板８上面の汚損や損傷を防止して良好な敷設状態を保ち、マット本体２にたわみが発生することなく、通行の安全性の向上に寄与できる。
又、マット本体２の傾斜縁部５によりマット本体２縁部での歩行者等のつまづきが防止され、車椅子やベビーカー、自転車等のマット本体２上への乗り上げがスムーズとなり、凸部４自体の形状に加え、凸部４と傾斜縁部５上面に設けた滑り止め部６により滑ることなく保護マット１上の安全な通行が確保できる。
又、人車の乗り上げをスムーズにする傾斜縁部５は、乗り上げ時の衝撃を緩和してマット本体２のずれ防止効果を発揮する。
又、降雨や散水等でマット本体２の上面が濡れても、水が排水溝７によって上面から保護マット１外に排水されて上面に水が滞留しにくく、歩行者等の通行に際して滑りやすくなるのを防止できる。
【００２４】  図７〜図１０は本発明の保護マットの他実施の形態を示し、本実施形態の保護マット１も上記と同様な材料から作製され、例えば図１１（イ）に示すような上面に線状（平面視長方形で断面略台形）の誘導突起９が略等間隔で平行に４個配列された視覚障害者用誘導板８の上面を保護すべく、誘導板８に着脱自在に被せられるものである。
本発明の保護マット１は、図７（イ）に示す如く長方形状のマット本体２からなり、図１１（イ）、（ロ）に示すように敷設時の目地部１０を挟んで隣接する６枚の誘導板８にわたる大きさとなされている。
マット本体２は所定厚みを有してその下面には、図７（ロ）、（ハ）に示す如く、上記誘導板８の誘導突起９の配列に略対応して複数の突起９からなる突起列に嵌めうる溝状の凹部３が、マット本体２の長辺方向に沿って略平行に設けられている。即ち、マット本体２の厚みは上記と同様で、後述する図１２（イ）、（ロ）に示す如く凹部３を誘導突起９に嵌合した際、少なくとも隣接する誘導突起９間の空間がマット本体２によって略塞ぐことができる厚みを有している。
【００２５】  上記マット本体２の上面には、図７（イ）、（ハ）及び後述の図１２（イ）、（ロ）に示す如く、誘導板８の誘導突起９に略対応する凸部４（平面視長方形）が設けられ、凸部４の頂面を含む上面は細かい凹凸状の粗面となされることで滑り止め部６が設けられている。即ち、図８（イ）、（ロ）に示す如く、凸部４を設けることにより、上記と同様にマット本体２の凹部３に対応する部分の厚み補強をして耐久性を向上させている。尚、上記滑り止め部６は必ずしもなくてもよい。
又、図７（イ）、（ハ）及び図８（イ）、（ロ）に示す如く、マット本体２の長辺側の相対する縁部に上記と同様の傾斜縁部５が設けられ、傾斜縁部５に階段状の凹凸からなる滑り止め部６が設けられている。この場合も、マット本体２の短辺長さが誘導板８の幅よりやや長くなされているが、誘導板８の幅と略同じであってもよい。尚又、傾斜縁部５の滑り止め部６も必ずしもなくてもよい。
又、図７（イ）、図９（イ）、（ロ）及び図１０に示す如く、マット本体２の上面でマット本体２の長辺方向に隣接する凸部４間に、マット本体２の短辺方向に沿う排水溝７がマット本体２の長辺方向に所定間隔で６本設けられている。この排水溝７はマット本体２の相対する両縁部（傾斜縁部５）にわたって設けられ、傾斜縁部５ではマット本体２の縁部に向け斜降する傾斜溝となされている。
尚、排水溝７は細幅で浅溝となされているが、これに限定されず、適宜幅、深さであればよく、又、マット本体２の短辺方向で深さが変化して溝底に勾配が付されてもよい。
【００２６】  上記保護マット１の使用について説明すると、例えば図１１（イ）に示す如くコンクリート製等の視覚障害者用誘導板８が目地部１０を介して所定間隔で複数配列されて敷設された後、その養生や当該敷設と併せて行われる各種工事期間中の歩行者等の通行に際して誘導板８の上面を保護するべく、図１１（ロ）に示す如く保護マット１を目地部１０を挟んで隣接する６枚の誘導板８にわたって被せる。その際、図１２（イ）、（ロ）に示す如く、マット本体２下面の溝状の凹部３を誘導板８の上面の誘導突起９に嵌めて保護マット１を所定位置に位置させる。
続いて、必要に応じて上記と同様にして保護マット１を順次誘導板８の上面に被せるとともに、マット本体２の長辺側の傾斜縁部５上面と誘導板８の敷設箇所周辺にまたがって粘着テープを貼着してマット本体２を固定すればよい。
従って、上記保護マット１によっても上記と同様に、マット本体２下面の凹部３を誘導突起９に嵌めることで位置ずれすることなく誘導板８上面に容易に被せられ、その作業性がよく、誘導板８の養生や当該敷設と併せて行われる各種工事期間中、歩行者等の通行による誘導板８上面の汚損や損傷を防止し、マット本体２にたわみが発生することなく、通行の安全性の向上に寄与できる。又、凸部４、傾斜縁部５や滑り止め部６、排水溝７による作用効果も上記と同様に奏する。
又、マット本体２上面の凸部４が誘導板８の誘導突起９に略対応して設けられていることから、保護マット１上の通行時に視覚障害者がマット本体２下の誘導板８の種類（誘導情報）を容易に察知でき、足裏の感覚で情報を得るという誘導板８と同様な効果を奏して安全な通行ができる利点がある。
【００２７】  尚、本発明の保護マット１は必ずしも上記実施形態のものに限定されることなく、本発明の意図する範囲内で種々の設計変更がなされてもよい。
例えば、マット本体２の大きさに関して、上記では敷設時の目地部１０を挟んで隣接する２枚や６枚の誘導板８にわたる大きさとなされているが、これに限定されず、目地部１０を挟んで隣接する適宜複数の誘導板８にわたる大きさや、少なくとも１枚の誘導板８を覆うに足る大きさ等となされてもよく、敷設状態の誘導板８の上面を適宜に覆うに足る大きさとなされればよい。
又、上記適宜複数の誘導板８にわたる大きさとなされていると、凹部３を誘導板８の誘導突起９や突起列に嵌めることと相まって複数の誘導板８にわたって位置ずれすることなく所定位置に容易に被せることができ、その作業性を向上させて使い勝手がよく、保護マット１上の通行に際し、上記嵌合及びマット１自体の自重増大の作用により位置ずれ防止効果を一層高めて安全な通行が確保でき好ましい。
マット本体２の厚みに関しても、上記の如くマット本体２下面の凹部３を誘導板８の誘導突起９に嵌合した際、少なくとも隣接する誘導突起９間の空間をマット本体２によって略塞ぐことができる厚みを有しておればよい。又、マット本体２に適宜弾性（クッション性）を持たせるような厚みとして、マット本体２上の歩行に際して快感を高めるようにしてもよい。
【００２８】  又、例えば図１３〜図１５に示す如く、マット本体２の下面に凹部３が設けられるとともに、マット本体２の長辺方向に延びる適宜溝条１２が設けられてもよい。
図１３（イ）、（ロ）に示す場合は、マット本体２の下面に図１（ロ）と同様な凹部３が設けられ、隣接する凹部３間にマット本体２の長辺方向に延びる溝条１２が略左右対称状に設けられている。該溝条１２は、マット本体２の短辺方向に隣接する各凹部３間に上記長辺方向に真っ直ぐ延びる直線状の溝部が各２本配されるとともに、上記長辺方向に隣接する各凹部３間で各直線状溝部の片側に、斜め枝状の溝部が延出されている。溝条１２の斜め枝状の溝部はマット本体２の短辺方向の端側ではその先端が開放端となされ、短辺方向の中央部側では凹部４を挟んで隣接する上記直線状溝部どうしを連結するように配されている。
又、図１３（ハ）、（ニ）に示す場合は同図（イ）を基本とした変形例である。
又、図１３（ホ）に示す場合はマット本体２の短辺方向に隣接する各凹部３間に３本の直線状の溝条１２が長辺方向に沿って設けられている。
次に、図１４（イ）、（ロ）に示す場合は、マット本体２の下面に図７（ロ）と同様な凹部３が設けられ、マット本体２の短辺方向に隣接する各凹部３間に溝条１２が長辺方向に沿って断続的に設けられている。該溝条１２は、マット本体２の短辺方向の端部側では、真っ直ぐ直線状の溝部の片側に斜め枝状の溝部が所定間隔で延出され、短辺方向の中央部側では、真っ直ぐ直線状の溝部の両側に斜め枝状の溝部が所定間隔で延出されて草木のような形状で設けられている。
又、図１４（ハ）に示す場合は同図（イ）を基本とした変形例である。
更に、図１５（イ）、（ロ）に示す場合は、マット本体２の下面に図７（ロ）と同様な凹部３が設けられ、マット本体２の短辺方向に隣接する各凹部３間に４本の直線状の溝条１２が長辺方向に沿って設けられ、図１５（ハ）に示す場合は、同図（イ）の各溝条１２をその長手方向に断続させるべく適宜間隔で仕切部１２ａが設けられている。
尚、溝条１２は上記のものに限定されず、その形状、本数、溝幅、深さ等は適宜であればよい。
上記の如く溝条１２が設けられていると、保護マット１上の通行に際し、溝条１２の開口縁部（エッジ部）が誘導板８の上面に押圧されることでマット本体２と誘導板８上面との間の摩擦が増大し、保護マット１の位置ずれ防止効果を奏するとともに、クッション作用を奏して歩行感を高める利点がある。
又、溝条１２によって、マット本体２の屈曲性が向上し、配列された誘導板８の施工誤差による誘導板８上面の凹凸や敷設箇所の傾斜等になじんで屈曲して保護マット１を安定した良好な状態として使用できるという利点がある。
更に、誘導板８に被せた保護マット１が雨水や工事中の何らかの要因で水に漬かった際、溝条１２を設けたことで生じるマット本体２の体積減少分だけマット本体２が受ける浮力も減少して誘導板８上面から浮き上がりにくく、しかも溝条１２がマット本体２と誘導板８との間で排水溝の役目を果たし、保護マット１の位置ずれ防止にも役立つ。
【００２９】  又、マット本体２下面の凹部３に関して、点状の誘導突起９を有する誘導板８に適用の場合は、上記長円形の他、円形、だ円形、多角形等の適宜形状の凹みで、誘導板８の誘導突起９に略対応して嵌合しうるように設けられればよい。又、線状の誘導突起９を有する誘導板８に適用の場合は、上記溝状で誘導突起９の突起列に嵌合しうる他、図１６（イ）、（ロ）に示す如く上記溝状をその長手方向に断続させるべく適宜仕切部３ａが設けられ、長手方向に隣接する誘導突起９間に仕切部３ａが位置するようになされてもよく、この場合には使用時にマット本体２の長辺方向の位置ずれを確実に防止しうる。
更に、凹部３は図１７（イ）、（ロ）に示す如く幅の異なる溝状のものが複数略平行に配列され、点状の誘導突起９を有する誘導板８に適用の場合は図１７（ハ）、（ニ）に示す如く、凹部３が複数の誘導突起９（図１７（ハ）で縦方向に配列されている）からなる突起列に嵌合され、線状の誘導突起９を有する誘導板８に適用の場合は図１７（ホ）、（ヘ）に示す如く、中央部の凹部３を除く他の凹部３が上記実施形態と同様の誘導突起９の突起列に嵌合されるようになされて、点状又は線状の誘導突起９を有する誘導板８の両方に適用可能となされてもよい。
即ち、凹部３は、誘導板８の点状及び／又は誘導突起９の形状や数、或いは突起列に適合して設けられ、各誘導突起９や、複数の誘導突起９からなる突起列に嵌合しうるように設けられればよい。
【００３０】  又、マット本体２上面の凸部４に関して、誘導板８の誘導突起９に略対応するか、又は少なくとも誘導突起９に対応する部分を含んで適宜形状をなしているのが上記の如く好ましいが、該凸部４は上記以外に、誘導突起９との対応とは無関係にマット本体２上面の適宜箇所、好ましくは上面の略全体に広がって点状、線状、適宜模様や形状等をなして設けられることで、マット本体２上面を凹凸面として凸部４そのものが通行時の滑り止め作用を奏するようになされてもよい。
更に、例えばマット本体２の厚みが全体にわたり十分で耐久性を有するような場合には、凸部４は必ずしも設けられなくともよく、マット本体２上面は略平坦（上面が粗面で凹凸状滑り止め部６を有するのが好ましい）となされてもよい。
又、点状の誘導突起９を有する誘導板８に適用の場合、例えば図１８（イ）、（ロ）に示す如く、凸部４は誘導板８の各誘導突起９に略対応する位置に略円錐台形をなして設けられてもよく、この場合には、保護マット１上の通行時に視覚障害者はマット本体２下の誘導板８の種類（誘導情報）を容易に察知でき、足裏感覚で情報を得るという誘導板８と同様な効果を奏して安全な通行が確保できる利点がある。
凸部４の形状も上記実施形態のものに限定されず、適宜標示を形成したり、単なる図形や模様等を形成する等、適宜種々の形状になされればよく、その頂面に粗面等の凹凸状の滑り止め部６が設けられているのが好ましいが、この滑り止め部６は必ずしもなくてもよい。
【００３１】  又、マット本体２の傾斜縁部５に関して、マット本体２の長辺側の相対する縁部に沿って設けられているが、少なくともマット本体２の一縁部に沿って設けられればよく、又、上面が縁部に向け緩傾斜状になされているのが好ましい。この傾斜縁部５は設けられていると上記効果があり好ましく、その上面に凹凸状の滑り止め部６が設けられていると上記効果があり更に好ましいが、この傾斜縁部５又は滑り止め部６は必ずしもなくてもよい。
上記凸部４や傾斜縁部５の滑り止め部６も、適宜多数の突起や突条、溝や凹み、粗面、或いはこれらの適宜組み合せ等により適宜凹凸状に形成されればよい。
又、マット本体２上面の排水溝７に関して、上記の如くマット本体２の相対する両縁部にわたって直線状に設けられるのが好ましいが、適宜曲線状やマット本体２の短辺方向と平行でなく斜め状をなして設けられてもよく、その方向や本数は適宜変更されてもよい。排水溝７の溝幅や深さ、勾配もマット本体２の強度を損なわない程度に適宜となされればよい。尚、排水溝７は設けられていると上記の如くマット本休２上面の排水性がよく好ましいが、必ずしもなくてもよい。
【００３２】  更に、夜間や暗い場所での安全な通行が行えるように、例えば図１９（イ）、（ロ）に示す如く、マット本体２の上面に適宜蓄光材１１が設けられてもよい。図１９（イ）の場合は、上記図１８と略同様にマット本体２の上面に誘導板８の各誘導突起９に略対応する略円錐台形の凸部４が設けられ、凸部４の傍に蓄光材１１が設けられて蓄光材１１がマット本体２の上面に点在され、図１９（ロ）の場合は、上記図７と略同様にマット本体２の上面に誘導板８の誘導突起９に略対応する平面視長方形の凸部４が設けられ、一部の凸部４の傍にこれに沿って細長状の蓄光材１１が設けられて蓄光材１１がマット本体２の上面に散在されている。
上記蓄光材１１はマット本体２の傾斜縁部５やその近傍上面に設けられてもよく、この場合にはマット本体２とその周辺床面との間に段差がある旨の注意喚起が行え、保護マット１上の安全な通行に寄与できる。
上記蓄光材１１はこれに限らず、適宜形状で適宜位置に適宜数設けられればよいとともに、マット本体２の上面も適宜凸部４が設けられたり、凸部４がなく略平坦となされていてもよく、更には蓄光材１１に代えて反射材、発光体等が上記と同様に使用されてもよい。
尚又、保護マット１を適用する視覚障害者用誘導板８は、上面に線状及び／又は線状の誘導突起９が配列されたものであればよく、特に限定するものではない。
【符号の説明】
【００３３】  １  保護マット
２  マット本体
３  凹部
４  凸部
５  傾斜縁部
６  滑り止め部
７  排水溝
８  視覚障害者用誘導板
９  誘導突起
１０  目地部
１２  溝条
【図１】
2014129711.tif 000003
【図２】
2014129711.tif 000004
【図３】
2014129711.tif 000005
【図４】
2014129711.tif 000006
【図５】
2014129711.tif 000007
【図６】
2014129711.tif 000008
【図７】
2014129711.tif 000009
【図８】
2014129711.tif 000010
【図９】
2014129711.tif 000011
【図１０】
2014129711.tif 000012
【図１１】
2014129711.tif 000013
【図１２】
2014129711.tif 000014
【図１３】
2014129711.tif 000015
【図１４】
2014129711.tif 000016
【図１５】
2014129711.tif 000017
【図１６】
2014129711.tif 000018
【図１７】
2014129711.tif 000019
【図１８】
2014129711.tif 000020
【図１９】
2014129711.tif 000021
【手続補正書】
【提出日】平成25年3月15日(2013.3.15)
【手続補正１】
【補正対象書類名】明細書
【補正対象項目名】全文
【補正方法】変更
【補正の内容】
【発明の詳細な説明】
【技術分野】
【０００１】  本発明は視覚障害者用誘導板の保護マットに関し、詳しくは、歩道や屋内外の通路等種々の場所に視覚障害者用誘導板が敷設される際、その共用までの養生期間中、誘導板を保護して良好な敷設状態を得るべくその上面に被せられて歩行者等の通行に供せられる視覚障害者用誘導板専用の保護マットに関するものである。
【背景技術】
【０００２】  一般に、上面に点状や線状の誘導突起が所定間隔で複数配列された視覚障害者用誘導板、例えば平面視方形状でコンクリート製等の上記誘導板（例えば下記の特許文献１及び２参照）は、路盤上に下地モルタル等を介して所定間隔で配列されて隣接する誘導板間やその周囲の床材間との隙間に目地モルタル等を充填して敷設される。
従来、その敷設後の養生や当該敷設と併せて行われる各種工事期間中の歩行者等の通行に際し、例えば各誘導板の周縁部上面、これに隣接する目地部、敷設箇所周辺にわたり粘着テープが貼着されたり、或いは隣接する誘導板上面にわたりゴムや布等の汎用保護シートが被せられ、該シートの周縁部上面と敷設箇所周辺にまたがって粘着テープが貼着されて、誘導板上の通行に供せられていた。又、上記歩行者等の通行に際し、上記従来技術等による誘導板上面保護に関する特許文献等を調査したが見当たらず、特に誘導板専用の保護覆いがなかった。
【先行技術文献】
【特許文献】
【０００３】
【特許文献１】  特開２００１−３５５２１３号公報
【特許文献２】  特開２００４−３３２４６９号公報
【発明の概要】
【発明が解決しようとする課題】
【０００４】  上記前者の各誘導板の周縁部、目地部、敷設箇所周辺にわたり粘着テープが貼着される場合は、誘導板の上面が広範囲にわたり露出したままとなるために、歩行者等の通行により露出部分が汚れたり、損傷しやすく、誘導板上面の保護ができないとともに、誘導板の養生終了後に粘着テープを剥がすと上面の汚れた露出部分と粘着テープにより覆われていた汚れのない部分との境界が目立ち美観を損なう問題点があった。
又、後者のゴムや布等の保護シートが使用される場合は、誘導板上面の保護はできるものの、誘導板上面の誘導突起間と保護シートとの間に多くの空間が生じるために、歩行者等の通行により保護シートがたわみやすく、このたわみにつまづいたり、更にバランスを崩して転倒する危険性があるとともに、保護シートが位置ずれしやすく、シート上で滑る恐れがある等、シート上での安全な通行が困難な問題点があった。又、保護シートを被せると視覚障害者にとってシート下の誘導板の種類（案内情報）が足裏感覚で察知困難となり、安全な通行が妨げられるという問題点もあった。
本発明はかかる従来の問題点に鑑みてなされたものであって、視覚障害者用誘導板の敷設後の養生や当該敷設と併せて行われる各種工事期間中の歩行者等の通行に際し、誘導板上面を保護して良好な敷設状態を得るとともに、通行の安全性を向上させた視覚障害者用誘導板専用の保護マットを提供することを課題としている。
【課題を解決するための手段】
【０００５】  上記課題を解決するために、本発明の視覚障害者用誘導板の保護マットは、上面に点状及び／又は線状の誘導突起が配列された視覚障害者用誘導板の上面に着脱自在に被せられるものであって、敷設された上記誘導板の上面を覆う所定厚みのマット本体の下面に、各誘導突起に略対応して該突起に嵌めうるか、又は誘導突起の配列に略対応して複数の突起からなる突起列に嵌めうる凹部が設けられてなるものである。【０００６】  又、本発明の保護マットは、上記保護マットにおいて、マット本体の上面に滑り止めとなる適宜凸部が設けられた構成を採用することができる。【０００７】  又、本発明の保護マットは、上記保護マットにおいて、凸部が、誘導板の誘導突起に略対応するか、又は少なくとも誘導突起に対応する部分を含んで適宜形状をなす構成を採用することができる。【０００８】  又、本発明の保護マットは、上記各保護マットにおいて、マット本体の少なくとも一縁部に沿う上面が縁部に向け斜降して傾斜縁部が設けられた構成を採用することができる。【０００９】  又、本発明の保護マットは、上記各保護マットにおいて、マット本体の上面に、又は凸部頂面及び／又は傾斜縁部に凹凸状の滑り止め部が設けられた構成を採用することができる。【００１０】  又、本発明の保護マットは、上記各保護マットにおいて、マット本体の上面に相対する両縁部にわたる排水溝が設けられた構成を採用することができる。【００１１】  又、本発明の保護マットは、上記各保護マットにおいて、マット本体の下面に、隣接する凹部間に溝条が設けられた構成を採用することができる。【００１２】  又、本発明の保護マットは、上記各保護マットにおいて、マット本体が、敷設時の目地部を挟んで隣接する複数の誘導板にわたる大きさとなされた構成を採用することができる。
【発明の効果】
【００１３】  本発明の視覚障害者用誘導板の保護マットは、敷設された誘導板の上面を覆う所定厚みのマット本体の下面に、誘導板上面の各誘導突起に略対応して該突起に嵌めうるか、又は誘導突起の配列に略対応して複数の突起からなる突起列に嵌めうる凹部が設けられているので、誘導板の敷設後、マット本体下面の凹部を誘導突起又はその突起列に嵌めることで、位置ずれすることなく誘導板上面に容易に被せることができてその作業性を向上させることができ、誘導板の養生や誘導板の敷設と併せて行われる各種工事期間中の歩行者等の通行に際し、通行による誘導板上面の汚損や損傷を防止して誘導板の良好な敷設状態を確保できるとともに、上記凹部と誘導突起や突起列の嵌合による位置ずれ防止作用で従来の如くマットのたわみ等が発生することなく、通行の安全性を向上させることができる。【００１４】  又、本発明の保護マットは、マット本体の上面に滑り止めとなる適宜凸部が設けられているので、誘導板の養生や誘導板の敷設と併せて行われる各種工事期間中の通行に際し、マット本体上面を凹凸面として凸部によって歩行者や車椅子、ベビーカー、自転車等に対し滑り止めや足裏の蹴りが利いて、マット上の安全な通行が行える。【００１５】  又、本発明の保護マットは、上記凸部が、誘導板の誘導突起に略対応するか、又は少なくとも誘導突起に対応する部分を含んで適宜形状をなしている、換言すればマット本体の上面に、凹部に略対応する凸部、又は少なくとも凹部に対応する部分を含んで適宜形状をなす凸部が設けられているので、マット本体の凹部に対応する部分の厚み補強となりマット自体の耐久性を向上させることができる。
又、誘導板上面に被せた際に凹部と誘導突起又はその突起列との嵌合部に隙間が生じても、上記の如くマット本体の凹部に対応する部分の厚み補強をすることで、マット上の負荷に対して補強効果を発揮し、通行時の安定性を高めることができる。
上記マット本体の上面に誘導板の誘導突起に略対応する凸部が設けられている場合には、マット上の通行時に視覚障害者はマット本体下の誘導板の種類（誘導情報）を容易に察知でき、足裏の感覚で情報を得るという誘導板と同様な効果を奏して安全な通行が確保できる。
又、マット本体の上面に少なくとも誘導突起に対応する部分を含んで適宜形状をなす凸部が設けられている場合には、凸部の形状を例えばこの先工事中等の標示を表す形状や模様とすることで、視覚障害者はこの凸部によってこの先工事中等の適宜情報を得て安全な通行ができる。【００１６】  又、本発明の保護マットは、マット本体の少なくとも一縁部に沿う上面が縁部に向け斜降して傾斜縁部が設けられているので、誘導板の養生や誘導板の敷設と併せて行われる各種工事期間中の歩行者等の通行に際し、マット本体縁部での歩行者のつまづきを防止できるとともに、車椅子やベビーカー、自転車等のマット上への乗り上げをスムーズにでき且つ乗り上げ時の衝撃が緩和されてマットのずれ防止作用も奏する。又、粘着テープでマット本体の縁部を固定する際、傾斜縁部上面と誘導板の敷設箇所周辺にまたがって貼着する粘着テープが各所と密着しやすく、粘着テープの折れや曲がりが緩和されてテープの耐久性を確保できる。【００１７】  又、本発明の保護マットは、マット本体の上面に、又は凸部頂面及び／又は傾斜縁部に凹凸状の滑り止め部が設けられているので、誘導板の養生や誘導板の敷設と併せて行われる各種工事期間中の歩行者等の通行に際し、歩行者や車椅子、ベビーカー、自転車等に対し滑り止めや足裏の蹴りがよく利いて、マット上の安全な通行を確保できる。又、傾斜縁部に凹凸状の滑り止め部が設けられている場合には、更に、粘着テープでマット本体縁部を誘導板の敷設箇所周辺に固定する際、粘着テープと傾斜縁部上面との接着面積が増え、強固な貼着固定ができる。【００１８】  又、本発明の保護マットは、マット本体の上面に相対する両縁部にわたる排水溝が設けられているので、誘導板の養生や誘導板の敷設と併せて行われる各種工事期間中の歩行者等の通行に際し、降雨や散水等でマット本体の上面が濡れても、水が排水溝によって上面からマット外に排水されて上面に水が滞留しにくく、歩行者等の通行に際して滑りやすくなるのを防止してマット上の安全な通行に貢献できる。【００１９】  又、本発明の保護マットは、マット本体の下面に、隣接する凹部間に溝条が設けられているので、誘導板の養生や誘導板の敷設と併せて行われる各種工事期間中の歩行者等の通行に際し、溝条の開口縁部が誘導板上面に押圧されることでマット本体と誘導板上面間の摩擦が増大し、保護マットの位置ずれ防止効果を奏するとともに、クッション作用を奏して歩行感を高めることができる。
又、溝条の存在によりマット本体の屈曲性が向上し、配列した誘導板の施工誤差による誘導板上面の凹凸や敷設箇所の傾斜等になじんで屈曲して保護マットを安定した良好な状態として使用できる。
更に、誘導板に被せた保護マットが雨水や工事中の何らかの要因で水に漬かった際、溝条を設けたことで生じるマット本体の体積減少分だけマット本体が受ける浮力も減少して誘導板上面から浮き上がりにくく、溝条がマット本体と誘導板との間で排水溝の役目を果たし、保護マットの位置ずれ防止にも役立つ。【００２０】  又、本発明の保護マットは、マット本体が、敷設時の目地部を挟んで隣接する複数の誘導板にわたる大きさとなされているので、上記凹部を誘導突起や突起列に嵌めることと相まって複数の誘導板にわたって位置ずれすることなく所定位置に容易に被せることができ、その作業性を向上させて使い勝手がよいとともに、マット上の通行に際し、上記嵌合及びマット自体の自重増大の作用によりマットの位置ずれ防止効果を一層高めて安全な通行が確保できる。
【図面の簡単な説明】
【００２１】
【図１】  本発明の保護マットの一実施の形態を示し、（イ）は平面図、（ロ）は底面図、（ハ）は拡大正面図、（ニ）は一部切欠拡大側面図。
【図２】  （イ）は図１（イ）のＡ−Ａ拡大断面図、（ロ）は（イ）のＤ部拡大図。
【図３】  （イ）は図１（イ）のＢ−Ｂ拡大断面図、（ロ）は（イ）のＥ部拡大図。
【図４】  （イ）は図１（イ）のＣ−Ｃ一部切欠拡大断面図、（ロ）は（イ）のＦ部拡大図。
【図５】  （イ）は視覚障害者用誘導板の敷設状態を示す一部平面図、（ロ）はこの一部に本発明保護マットを被せた状態を示す一部平面図。
【図６】  （イ）は図５（ロ）のＧ−Ｇ拡大断面図、（ロ）は同Ｈ−Ｈ一部切欠拡大断面図。
【図７】  本発明の保護マットの他実施の形態を示し、（イ）は平面図、（ロ）は底面図、（ハ）は拡大正面図。
【図８】  （イ）は図７（イ）のＩ−Ｉ拡大断面図、（ロ）は（イ）のＬ部拡大図。
【図９】  （イ）は図７（イ）のＪ−Ｊ拡大断面図、（ロ）は（イ）のＭ部拡大図。
【図１０】  図７（イ）のＫ−Ｋ拡大断面図。
【図１１】  （イ）は視覚障害者用誘導板の敷設状態を示す一部平面図、（ロ）はこの一部に本発明保護マットを被せた状態を示す一部平面図。
【図１２】  （イ）は図１１（ロ）のＮ−Ｎ拡大断面図、（ロ）は同Ｏ−Ｏ拡大断面図。
【図１３】  （イ）は本発明の保護マットの更に他実施の形態を示す底面図、（ロ）は（イ）のＰ−Ｐ拡大断面図、（ハ）、（ニ）、（ホ）はそれぞれ本発明の保護マットの更に他実施の形態を示す一部底面図。
【図１４】  （イ）は本発明の保護マットの更に他実施の形態を示す一部底面図、（ロ）は（イ）のＱ−Ｑ拡大断面図、（ハ）は本発明の保護マットの更に他実施の形態を示す一部底面図。
【図１５】  （イ）は本発明の保護マットの更に他実施の形態を示す一部底面図、（ロ）は（イ）のＲ−Ｒ拡大断面図、（ハ）は本発明の保護マットの更に他実施の形態を示す一部底面図。
【図１６】  （イ）、（ロ）はそれぞれ本発明の保護マットの更に他実施の形態を示す一部底面図。
【図１７】  （イ）は本発明の保護マットの更に他実施の形態を示す一部底面図、（ロ）は（イ）のＳ−Ｓ拡大断面図、（ハ）は同保護マットを点状の誘導突起を有する誘導板に被せた状態を示す一部切欠平面図、（ニ）は（ハ）のＴ−Ｔ拡大断面図、（ホ）は同保護マットを線状の誘導突起を有する誘導板に被せた状態を示す一部平面図、（ヘ）は（ホ）のＵ−Ｕ拡大断面図。
【図１８】  （イ）は本発明の保護マットの更に他実施の形態を示す一部平面図、（ロ）は（イ）のＶ−Ｖ拡大断面図。
【図１９】  （イ）、（ロ）はそれぞれ本発明の保護マットの更に他実施の形態を示す一部平面図。
【発明を実施するための形態】
【００２２】  以下、図面を参照しながら本発明の実施の形態について説明する。
図１〜図４は本発明の保護マットの一実施の形態を示し、１は本実施形態の保護マットであって、ゴム、合成樹脂、好ましくは弾性合成樹脂等から作製され、例えば図５（イ）に示すような上面に点状（略円錐台形）の誘導突起９が略等間隔で２５個規則的に配列された視覚障害者用誘導板８の上面を保護すべく、誘導板８に着脱自在に被せられるものである。
本発明の保護マット１は、図１（イ）に示す如く長方形状のマット本体２からなり、図５（イ）、（ロ）に示すように敷設時の目地部１０を挟んで隣接する２枚の誘導板８にわたる大きさとなされている。
マット本体２は所定厚みを有してその下面には、図１（ロ）、図２（イ）及び図４（イ）に示す如く、上記誘導板８の各誘導突起９に略対応して該突起９に嵌めうる凹部３が設けられている。即ち、マット本体２の厚みは、後述する図６（イ）、（ロ）に示す如く凹部３を誘導突起９に嵌合した際、少なくとも隣接する誘導突起９間の空間をマット本体２によって略塞ぐことができる厚みを有している。
又、上記凹部３は図１（ロ）に示す如くマット本体２の長辺方向に長い長円形（略錐台状の凹み）となされ、誘導板８の誘導突起９に対してマット本体２の長辺方向に若干の余裕を有して嵌合可能となされることで、凹部３と誘導突起９の嵌合位置に融通が利き嵌合しやすく、使い勝手が良好なようになされている。
【００２３】  上記マット本体２の上面には、図１（イ）、（ハ）、（ニ）及び後述の図６（イ）、（ロ）に示す如く、誘導板８の少なくとも誘導突起９に対応する部分（換言すれば、凹部３に対応する部分）を含んで略※に近い形状をなす凸部４が一対設けられ、凸部４の頂面を含む上面は細かい凹凸状の粗面となされることで滑り止め部６が設けられている。即ち、図２（イ）や図４（イ）に示す如く、凸部４を設けることにより、マット本体２の凹部３に対応する部分の厚み補強をして耐久性を向上させている。尚、上記滑り止め部６は必ずしもなくてもよい。
又、図１（イ）、（ハ）及び図２（イ）、（ロ）に示す如く、マット本体２の長辺側の相対する縁部に沿う上面がそれぞれ縁部に向け斜降して緩傾斜状の傾斜縁部５が設けられるとともに、傾斜縁部５に階段状の凹凸からなる滑り止め部６が設けられている。この場合、マット本体２の短辺長さが誘導板８の幅よりやや長く（敷設時の誘導板８に隣接する目地部１０の一部又は全部を覆うため）なされているが、誘導板８の幅と略同じであってもよい。尚又、傾斜縁部５の滑り止め部６も必ずしもなくてもよい。
又、図１（イ）、図３（イ）、（ロ）及び図４（イ）、（ロ）に示す如く、マット本体２の上面略中央部（隣接する凸部４間）に、マット本体２の短辺方向に沿う排水溝７が相対する両縁部（傾斜縁部５）にわたって設けられ、傾斜縁部５では排水溝７はマット本体２の縁部に向け斜降する傾斜溝となされている。
尚、排水溝７は細幅で浅溝となされているが、これに限定されず、適宜幅、深さであればよく、又、マット本体２の短辺方向で深さが変化して溝底に勾配が付されてもよい。
【００２４】  上記保護マット１の使用について説明すると、例えば図５（イ）に示す如くコンクリート製等の視覚障害者用誘導板８が目地部１０を介して所定間隔で複数配列されて敷設された後、その養生や当該敷設と併せて行われる各種工事期間中の歩行者等の通行に際して誘導板８の上面を保護するべく、図５（ロ）に示す如く保護マット１を目地部１０を挟んで隣接する２枚の誘導板８にわたって被せる。その際、図６（イ）、（ロ）に示す如く、マット本体２の下面の凹部３を誘導板８の上面の誘導突起９に嵌めて保護マット１を所定位置に位置させる。
続いて、必要に応じて上記と同様にして保護マット１を順次誘導板８の上面に被せるとともに、マット本体２の長辺側の傾斜縁部５上面と誘導板８の敷設箇所周辺にまたがって粘着テープを貼着してマット本体２を固定すればよい。
従って、上記保護マット１によれば、マット本体２下面の凹部３を誘導突起９に嵌めることで位置ずれすることなく誘導板８上面に容易に被せることができ、その作業性がよく、誘導板８の養生や当該敷設と併せて行われる各種工事期間中、歩行者等の通行による誘導板８上面の汚損や損傷を防止して良好な敷設状態を保ち、マット本体２にたわみが発生することなく、通行の安全性の向上に寄与できる。
又、マット本体２の傾斜縁部５によりマット本体２縁部での歩行者等のつまづきが防止され、車椅子やベビーカー、自転車等のマット本体２上への乗り上げがスムーズとなり、凸部４自体の形状に加え、凸部４と傾斜縁部５上面に設けた滑り止め部６により滑ることなく保護マット１上の安全な通行が確保できる。
又、人車の乗り上げをスムーズにする傾斜縁部５は、乗り上げ時の衝撃を緩和してマット本体２のずれ防止効果を発揮する。
又、降雨や散水等でマット本体２の上面が濡れても、水が排水溝７によって上面から保護マット１外に排水されて上面に水が滞留しにくく、歩行者等の通行に際して滑りやすくなるのを防止できる。
【００２５】  図７〜図１０は本発明の保護マットの他実施の形態を示し、本実施形態の保護マット１も上記と同様な材料から作製され、例えば図１１（イ）に示すような上面に線状（平面視長方形で断面略台形）の誘導突起９が略等間隔で平行に４個配列された視覚障害者用誘導板８の上面を保護すべく、誘導板８に着脱自在に被せられるものである。
本発明の保護マット１は、図７（イ）に示す如く長方形状のマット本体２からなり、図１１（イ）、（ロ）に示すように敷設時の目地部１０を挟んで隣接する６枚の誘導板８にわたる大きさとなされている。
マット本体２は所定厚みを有してその下面には、図７（ロ）、（ハ）に示す如く、上記誘導板８の誘導突起９の配列に略対応して複数の突起９からなる突起列に嵌めうる溝状の凹部３が、マット本体２の長辺方向に沿って略平行に設けられている。即ち、マット本体２の厚みは上記と同様で、後述する図１２（イ）、（ロ）に示す如く凹部３を誘導突起９に嵌合した際、少なくとも隣接する誘導突起９間の空間がマット本体２によって略塞ぐことができる厚みを有している。
【００２６】  上記マット本体２の上面には、図７（イ）、（ハ）及び後述の図１２（イ）、（ロ）に示す如く、誘導板８の誘導突起９に略対応する凸部４（平面視長方形）が設けられ、凸部４の頂面を含む上面は細かい凹凸状の粗面となされることで滑り止め部６が設けられている。即ち、図８（イ）、（ロ）に示す如く、凸部４を設けることにより、上記と同様にマット本体２の凹部３に対応する部分の厚み補強をして耐久性を向上させている。尚、上記滑り止め部６は必ずしもなくてもよい。
又、図７（イ）、（ハ）及び図８（イ）、（ロ）に示す如く、マット本体２の長辺側の相対する縁部に上記と同様の傾斜縁部５が設けられ、傾斜縁部５に階段状の凹凸からなる滑り止め部６が設けられている。この場合も、マット本体２の短辺長さが誘導板８の幅よりやや長くなされているが、誘導板８の幅と略同じであってもよい。尚又、傾斜縁部５の滑り止め部６も必ずしもなくてもよい。
又、図７（イ）、図９（イ）、（ロ）及び図１０に示す如く、マット本体２の上面でマット本体２の長辺方向に隣接する凸部４間に、マット本体２の短辺方向に沿う排水溝７がマット本体２の長辺方向に所定間隔で６本設けられている。この排水溝７はマット本体２の相対する両縁部（傾斜縁部５）にわたって設けられ、傾斜縁部５ではマット本体２の縁部に向け斜降する傾斜溝となされている。
尚、排水溝７は細幅で浅溝となされているが、これに限定されず、適宜幅、深さであればよく、又、マット本体２の短辺方向で深さが変化して溝底に勾配が付されてもよい。
【００２７】  上記保護マット１の使用について説明すると、例えば図１１（イ）に示す如くコンクリート製等の視覚障害者用誘導板８が目地部１０を介して所定間隔で複数配列されて敷設された後、その養生や当該敷設と併せて行われる各種工事期間中の歩行者等の通行に際して誘導板８の上面を保護するべく、図１１（ロ）に示す如く保護マット１を目地部１０を挟んで隣接する６枚の誘導板８にわたって被せる。その際、図１２（イ）、（ロ）に示す如く、マット本体２下面の溝状の凹部３を誘導板８の上面の誘導突起９に嵌めて保護マット１を所定位置に位置させる。
続いて、必要に応じて上記と同様にして保護マット１を順次誘導板８の上面に被せるとともに、マット本体２の長辺側の傾斜縁部５上面と誘導板８の敷設箇所周辺にまたがって粘着テープを貼着してマット本体２を固定すればよい。
従って、上記保護マット１によっても上記と同様に、マット本体２下面の凹部３を誘導突起９に嵌めることで位置ずれすることなく誘導板８上面に容易に被せられ、その作業性がよく、誘導板８の養生や当該敷設と併せて行われる各種工事期間中、歩行者等の通行による誘導板８上面の汚損や損傷を防止し、マット本体２にたわみが発生することなく、通行の安全性の向上に寄与できる。又、凸部４、傾斜縁部５や滑り止め部６、排水溝７による作用効果も上記と同様に奏する。
又、マット本体２上面の凸部４が誘導板８の誘導突起９に略対応して設けられていることから、保護マット１上の通行時に視覚障害者がマット本体２下の誘導板８の種類（誘導情報）を容易に察知でき、足裏の感覚で情報を得るという誘導板８と同様な効果を奏して安全な通行ができる利点がある。
【００２８】  尚、本発明の保護マット１は必ずしも上記実施形態のものに限定されることなく、本発明の意図する範囲内で種々の設計変更がなされてもよい。
例えば、マット本体２の大きさに関して、上記では敷設時の目地部１０を挟んで隣接する２枚や６枚の誘導板８にわたる大きさとなされているが、これに限定されず、目地部１０を挟んで隣接する適宜複数の誘導板８にわたる大きさや、少なくとも１枚の誘導板８を覆うに足る大きさ等となされてもよく、敷設状態の誘導板８の上面を適宜に覆うに足る大きさとなされればよい。
又、上記適宜複数の誘導板８にわたる大きさとなされていると、凹部３を誘導板８の誘導突起９や突起列に嵌めることと相まって複数の誘導板８にわたって位置ずれすることなく所定位置に容易に被せることができ、その作業性を向上させて使い勝手がよく、保護マット１上の通行に際し、上記嵌合及びマット１自体の自重増大の作用により位置ずれ防止効果を一層高めて安全な通行が確保でき好ましい。
マット本体２の厚みに関しても、上記の如くマット本体２下面の凹部３を誘導板８の誘導突起９に嵌合した際、少なくとも隣接する誘導突起９間の空間をマット本体２によって略塞ぐことができる厚みを有しておればよい。又、マット本体２に適宜弾性（クッション性）を持たせるような厚みとして、マット本体２上の歩行に際して快感を高めるようにしてもよい。
【００２９】  又、例えば図１３〜図１５に示す如く、マット本体２の下面に凹部３が設けられるとともに、マット本体２の長辺方向に延びる適宜溝条１２が設けられてもよい。
図１３（イ）、（ロ）に示す場合は、マット本体２の下面に図１（ロ）と同様な凹部３が設けられ、隣接する凹部３間にマット本体２の長辺方向に延びる溝条１２が略左右対称状に設けられている。該溝条１２は、マット本体２の短辺方向に隣接する各凹部３間に上記長辺方向に真っ直ぐ延びる直線状の溝部が各２本配されるとともに、上記長辺方向に隣接する各凹部３間で各直線状溝部の片側に、斜め枝状の溝部が延出されている。溝条１２の斜め枝状の溝部はマット本体２の短辺方向の端側ではその先端が開放端となされ、短辺方向の中央部側では凹部４を挟んで隣接する上記直線状溝部どうしを連結するように配されている。
又、図１３（ハ）、（ニ）に示す場合は同図（イ）を基本とした変形例である。
又、図１３（ホ）に示す場合はマット本体２の短辺方向に隣接する各凹部３間に３本の直線状の溝条１２が長辺方向に沿って設けられている。
次に、図１４（イ）、（ロ）に示す場合は、マット本体２の下面に図７（ロ）と同様な凹部３が設けられ、マット本体２の短辺方向に隣接する各凹部３間に溝条１２が長辺方向に沿って断続的に設けられている。該溝条１２は、マット本体２の短辺方向の端部側では、真っ直ぐ直線状の溝部の片側に斜め枝状の溝部が所定間隔で延出され、短辺方向の中央部側では、真っ直ぐ直線状の溝部の両側に斜め枝状の溝部が所定間隔で延出されて草木のような形状で設けられている。
又、図１４（ハ）に示す場合は同図（イ）を基本とした変形例である。
更に、図１５（イ）、（ロ）に示す場合は、マット本体２の下面に図７（ロ）と同様な凹部３が設けられ、マット本体２の短辺方向に隣接する各凹部３間に４本の直線状の溝条１２が長辺方向に沿って設けられ、図１５（ハ）に示す場合は、同図（イ）の各溝条１２をその長手方向に断続させるべく適宜間隔で仕切部１２ａが設けられている。
尚、溝条１２は上記のものに限定されず、その形状、本数、溝幅、深さ等は適宜であればよい。
上記の如く溝条１２が設けられていると、保護マット１上の通行に際し、溝条１２の開口縁部（エッジ部）が誘導板８の上面に押圧されることでマット本体２と誘導板８上面との間の摩擦が増大し、保護マット１の位置ずれ防止効果を奏するとともに、クッション作用を奏して歩行感を高める利点がある。
又、溝条１２によって、マット本体２の屈曲性が向上し、配列された誘導板８の施工誤差による誘導板８上面の凹凸や敷設箇所の傾斜等になじんで屈曲して保護マット１を安定した良好な状態として使用できるという利点がある。
更に、誘導板８に被せた保護マット１が雨水や工事中の何らかの要因で水に漬かった際、溝条１２を設けたことで生じるマット本体２の体積減少分だけマット本体２が受ける浮力も減少して誘導板８上面から浮き上がりにくく、しかも溝条１２がマット本体２と誘導板８との間で排水溝の役目を果たし、保護マット１の位置ずれ防止にも役立つ。
【００３０】  又、マット本体２下面の凹部３に関して、点状の誘導突起９を有する誘導板８に適用の場合は、上記長円形の他、円形、だ円形、多角形等の適宜形状の凹みで、誘導板８の誘導突起９に略対応して嵌合しうるように設けられればよい。又、線状の誘導突起９を有する誘導板８に適用の場合は、上記溝状で誘導突起９の突起列に嵌合しうる他、図１６（イ）、（ロ）に示す如く上記溝状をその長手方向に断続させるべく適宜仕切部３ａが設けられ、長手方向に隣接する誘導突起９間に仕切部３ａが位置するようになされてもよく、この場合には使用時にマット本体２の長辺方向の位置ずれを確実に防止しうる。
更に、凹部３は図１７（イ）、（ロ）に示す如く幅の異なる溝状のものが複数略平行に配列され、点状の誘導突起９を有する誘導板８に適用の場合は図１７（ハ）、（ニ）に示す如く、凹部３が複数の誘導突起９（図１７（ハ）で縦方向に配列されている）からなる突起列に嵌合され、線状の誘導突起９を有する誘導板８に適用の場合は図１７（ホ）、（ヘ）に示す如く、中央部の凹部３を除く他の凹部３が上記実施形態と同様の誘導突起９の突起列に嵌合されるようになされて、点状又は線状の誘導突起９を有する誘導板８の両方に適用可能となされてもよい。
即ち、凹部３は、誘導板８の点状及び／又は誘導突起９の形状や数、或いは突起列に適合して設けられ、各誘導突起９や、複数の誘導突起９からなる突起列に嵌合しうるように設けられればよい。
【００３１】  又、マット本体２上面の凸部４に関して、誘導板８の誘導突起９に略対応するか、又は少なくとも誘導突起９に対応する部分を含んで適宜形状をなしているのが上記の如く好ましいが、該凸部４は上記以外に、誘導突起９との対応とは無関係にマット本体２上面の適宜箇所、好ましくは上面の略全体に広がって点状、線状、適宜模様や形状等をなして設けられることで、マット本体２上面を凹凸面として凸部４そのものが通行時の滑り止め作用を奏するようになされてもよい。
更に、例えばマット本体２の厚みが全体にわたり十分で耐久性を有するような場合には、凸部４は必ずしも設けられなくともよく、マット本体２上面は略平坦（上面が粗面で凹凸状滑り止め部６を有するのが好ましい）となされてもよい。
又、点状の誘導突起９を有する誘導板８に適用の場合、例えば図１８（イ）、（ロ）に示す如く、凸部４は誘導板８の各誘導突起９に略対応する位置に略円錐台形をなして設けられてもよく、この場合には、保護マット１上の通行時に視覚障害者はマット本体２下の誘導板８の種類（誘導情報）を容易に察知でき、足裏感覚で情報を得るという誘導板８と同様な効果を奏して安全な通行が確保できる利点がある。
凸部４の形状も上記実施形態のものに限定されず、適宜標示を形成したり、単なる図形や模様等を形成する等、適宜種々の形状になされればよく、その頂面に粗面等の凹凸状の滑り止め部６が設けられているのが好ましいが、この滑り止め部６は必ずしもなくてもよい。
【００３２】  又、マット本体２の傾斜縁部５に関して、マット本体２の長辺側の相対する縁部に沿って設けられているが、少なくともマット本体２の一縁部に沿って設けられればよく、又、上面が縁部に向け緩傾斜状になされているのが好ましい。この傾斜縁部５は設けられていると上記効果があり好ましく、その上面に凹凸状の滑り止め部６が設けられていると上記効果があり更に好ましいが、この傾斜縁部５又は滑り止め部６は必ずしもなくてもよい。
上記凸部４や傾斜縁部５の滑り止め部６も、適宜多数の突起や突条、溝や凹み、粗面、或いはこれらの適宜組み合せ等により適宜凹凸状に形成されればよい。
又、マット本体２上面の排水溝７に関して、上記の如くマット本体２の相対する両縁部にわたって直線状に設けられるのが好ましいが、適宜曲線状やマット本体２の短辺方向と平行でなく斜め状をなして設けられてもよく、その方向や本数は適宜変更されてもよい。排水溝７の溝幅や深さ、勾配もマット本体２の強度を損なわない程度に適宜となされればよい。尚、排水溝７は設けられていると上記の如くマット本体２上面の排水性がよく好ましいが、必ずしもなくてもよい。
【００３３】  更に、夜間や暗い場所での安全な通行が行えるように、例えば図１９（イ）、（ロ）に示す如く、マット本体２の上面に適宜蓄光材１１が設けられてもよい。図１９（イ）の場合は、上記図１８と略同様にマット本体２の上面に誘導板８の各誘導突起９に略対応する略円錐台形の凸部４が設けられ、凸部４の傍に蓄光材１１が設けられて蓄光材１１がマット本体２の上面に点在され、図１９（ロ）の場合は、上記図７と略同様にマット本体２の上面に誘導板８の誘導突起９に略対応する平面視長方形の凸部４が設けられ、一部の凸部４の傍にこれに沿って細長状の蓄光材１１が設けられて蓄光材１１がマット本体２の上面に散在されている。
上記蓄光材１１はマット本体２の傾斜縁部５やその近傍上面に設けられてもよく、この場合にはマット本体２とその周辺床面との間に段差がある旨の注意喚起が行え、保護マット１上の安全な通行に寄与できる。
上記蓄光材１１はこれに限らず、適宜形状で適宜位置に適宜数設けられればよいとともに、マット本体２の上面も適宜凸部４が設けられたり、凸部４がなく略平坦となされていてもよく、更には蓄光材１１に代えて反射材、発光体等が上記と同様に使用されてもよい。
尚又、保護マット１を適用する視覚障害者用誘導板８は、上面に線状及び／又は線状の誘導突起９が配列されたものであればよく、特に限定するものではない。
【符号の説明】
【００３４】１  保護マット
２  マット本体
３  凹部
４  凸部
５  傾斜縁部
６  滑り止め部
７  排水溝
８  視覚障害者用誘導板
９  誘導突起
１０  目地部
１２  溝条